(57)【要約】      （修正有）【課題】  個人用サウナを家庭で楽しもうとする時、最も大きな問題はサウナ装置を置く空間を家庭内にどう確保するかである。浴室で健康指向の生活ライフを楽しむ乾式サウナを提供する。【解決手段】  浴槽１６を上下二段の中間に空間２４を有する二重底とし、該空間２４は該浴槽１６上部空間と連通し、浴槽内１６の空気の循環と加熱が出来るようにして、１つの浴槽１６でサウナと風呂機能とを果たせるようにした。【選択図】図１
2005279224.tif 000002
【特許請求の範囲】
【請求項１】
人の頭部を浴槽の天端に置き上半身を該浴槽内に傾斜して沈め、頭部のみを該浴槽外に出来る蓋付密閉式とし、該浴槽の下部は二重底とし、該二重底の上下間は空間とし該空間は、空気が該浴槽上部空間と連通循環出来る構造とし該循環経路中に送気用ファンと空気及び、もしくは、上部底加熱用のヒータが各個別か、もしくは共通用として設けてあることを特徴とする浴槽兼用乾式サウナ。
【請求項２】
前記浴槽の上部底材は伝熱性の良い金属で構成され、該上部底の金属の裏側に取付けのヒータは、直接該金属底を加熱出来ることを特徴とする請求項１の浴槽兼用乾式サウナ。
【請求項３】
密閉された浴槽内の循環空気用ヒータ及び上部底板加熱用ヒータの内の少なくとも、１つを使って該浴槽内を加温することを特徴とする請求項１及び２の浴槽兼用乾式サウナ。
【請求項４】
浴槽内の空気は５０〜７０℃、上部底板は４５〜６０℃の温度範囲に加熱されることを特徴とする請求項３の浴槽兼用乾式サウナ。
【発明の詳細な説明】
【技術分野】
【０００１】  従来の個人用温水浴槽を利用した温水浴槽兼用の乾式サウナに関する。
【背景技術】
【０００２】  従来のサウナは密閉構造の部屋全体をスチームの直接噴霧による加熱もしくは、スチーム式熱交換器による間接加熱、電気熱源による直接もしくは間接加熱等の方式であった。また、一人用サウナの浴槽を使用した場合にしても個人用浴槽内に温水を人体が浸れる位（もしくは通常の浴槽として使用する位）の水位まで入れた状態で上部蓋をし、温水と蓋との空間に適温の温風を流すものとか、頭部のみを上向きで外に出して人が水平に横たわれる形状とし、該人体の背面には板状加熱源が設けられ、該人体上部を半円筒状断熱材で気密性を保って覆い、該加熱源より人体を加熱する方式の乾式サウナ等があったが、従来の個人用の浴槽を利用した形での温水浴槽と乾式サウナとの組み合わせたものはなかった。
【特許文献１】    特開２００３−２２５２７８
【特許文献２】    特開２００３−１４４５１７
【特許文献３】    特開２００３−１２６２１４
【特許文献４】    特開２００３−１１１８１４
【特許文献５】    特開２００３−０１９１８１
【特許文献６】    特開２００２−０６５４８７
【特許文献７】    特開２００１−２７６１７０
【特許文献８】    特開２００１−１７８７９３
【特許文献９】    特開２００１−１３７３６８
【特許文献１０】    特開２００１−０８７３３８
【特許文献１１】    特開２０００−３２５４２４
【特許文献１２】    特開２０００−２７１１８６
【特許文献１３】    特開２０００−２５４２００
【特許文献１４】    特開２０００−１７５９８６
【特許文献１５】    特開平１１−３３２９４９
【発明の開示】
【発明が解決しようとする課題】
【０００３】  個人用サウナを家庭等で楽しもうとする時、最も大きな問題はサウナ装置を置く空間を家庭内にどう確保するかである。サウナは加熱源、人が横たわれる以上の空間、そして多かれ少なかれサウナとしての性質上、水分（水蒸気水滴）の周囲への放散に対する対応等が必要なため浴室以外に新たにこのような空間を確保することには難が生じていた。そこで、本発明者等は日本の比較的狭い家屋でサウナを楽しめるのは浴室であることを着目し、健康指向の生活ライフを楽しむサウナの構造を検討した。その内容は次の通りである。
▲１▼サウナ室を新たに設けるのは日本の住宅事情からしてまだ無理がある。特にサウナ装置を設置する場合、前述のようにそのサウナ装置より発生する蒸気、湿度分の家屋材料や家財道具への悪影響が問題となるためサウナ装置の置く場所、構造をどうするか。
▲２▼サウナで発汗した後、手っ取り早くシャワーなり風呂で汗を流したい。
▲３▼上記▲１▼及び▲２▼の課題を日本の狭い家屋スペースで安価に解決したい等。
【課題を解決するための手段】
【０００４】  本発明は上記課題を解決するためになされたものである。そのために従来の風呂の浴槽を乾式サウナ用の人体を横たえるスペース（以下、浴槽と略記する）と共用にし、人は頭部を浴槽の天端に置きながら人の上半身を傾斜して該浴槽に横たえ頭部のみを該浴槽外に出来る蓋付密閉用とし、該浴槽の下部は上下二段の中間に空間を有する二重底とし、該空間は該浴槽上部空間と連通し、浴槽内の空気の循環と加熱が出来るように該空気循環経路中に送気用ファンとヒータとが取り付けられている。そして該二重底のうち上段底の材料は伝熱性の良い金属材料とし、その裏側にも加熱用ヒータが取り付けてあるが、該ヒータは上段底の加熱のみならず循環空気の加熱ヒータを兼ねても良い。また、浴槽内の空気の加熱は５０℃〜７０℃に上部底板の温度は４５℃〜６０℃の範囲に調整して使うようにし、１つの浴槽でサウナと風呂機能とを果たせるようにした。
【発明効果】
【０００５】  本発明の従来の風呂用の浴槽を蓋付の二重底とし、人が該浴槽に横たわった時に頭部のみ蓋外に出るようにしてある。そして、浴槽上部空間の空気が該二重底の中間部を通って循環出来るように送気用ファンと該循環用空気が加熱出来るようにしたヒータとが設けられている。そのために人体の上部底に接している部分以外は循環空気により加熱され、かつその加温速度はヒータの消費電力の調整によって調整出来るのであり、また上部底の金属板の裏面に設けられたヒータより人体の背中からも該人体の背面部を快適にするに必要な温度に加熱出来るため、加熱スピードの調整のみならず望ましい加熱状態に個人別に自身で調整出来るのである。
そして、従来の風呂用の浴槽を本発明のような構造にすることにより浴槽１槽だけで従来の浴室で風呂としての利用と乾式サウナとしての利用が可能となった。そのため乾式サウナとして利用した後、サウナ用蓋を開き湯舟の浴槽にお湯を張ると、サウナ後の汗流しも兼ねた通常の入浴も出来るようになった。当然風呂だけの利用も従来通り該浴槽で出来るのである。
【発明を実施するための最良の形態】
【実施例】
【０００６】  以下に本発明の実施例を図１を基に説明する。
まず、本浴槽兼用乾式サウナ（１）を浴槽として使用する時はヒンジ（１０）で回転かつ取り外し可能の蓋（７）を浴槽（１６）よりヒンジ（１０）のところより外す。次に浴槽下部の水抜管（１９）の栓（１７）で確実に止水した後給湯口（２０）のバルブ（２１）を開き所定の水位（１５）近くまで注ぐ。その水位（１５）以上に給湯してもその水位以上の湯は浴槽水位口（図中省略）より越流するため、その所定水位（１５）に維持される。また当然のことながら浴槽の温水が底部空間に入らないように工夫されている。
特に浴槽と兼用しての使用を考慮しているため乾式サウナ使用時の温風循環用空気孔の（８）及び（９）は高さｈだけ浴槽天端より嵩上げた形状となっている。また例えその底部空間（２４）に温水が誤って入っても外部管（２２）及び外部栓（２３）が取り付けられていて浴槽として使用後いつでも侵入水を抜くことが出来る。次に本浴槽兼用乾式サウナの乾式サウナとしての利用方法を説明する。
底部空間（２４）への侵入水及び浴槽水を抜き、栓（１７）及び外部栓（２３）をする。その後蓋（７）をヒンジ（１０）へ回転可能に取り付け浴槽（１６）に蓋（７）が確実に出来ていることを確認する。そして、サウナを押して電源を入れた後希望の温度を設定する。
上記温度は各個別温度設定釦があり（図−２参照）その釦の矢印方向の釦を押しつづけるとその方向へ設定温度は変わる。例えば、上向き矢印釦を押し続けると、設定温度が上がりつづける。希望の温度表示がされたところで釦を離すと表示数字はそこで停止し、その数字が設定温度となる。また、下向き矢印釦の使い方も上記と同じである。
通常、ヒータ温度、温風温度は各々４５℃〜６０℃、５０℃〜７０℃の間に設定される。また、温風器の釦を押し浴槽中の空気の循環を行う。この空気の温度は上げるもしくは下げる矢印温度釦を押しつづける温度調整用と同様の操作を行うことによって調整する。
温風の流速は１〜３ｍ／分が適当である。温風はヒータを入れてからおよそ冬で１０分、夏で５分後に設定温度になり乾式サウナとしての効果は通常のこの温度になってから人が図−１に示すように頭部を浴槽の天端に置き体は浴槽内に横たわり蓋をし、サウナとして使い始める。
入浴時間は１５分〜２０分が望ましい。乾式サウナよりの上りは蓋を開いて上がり、ヒータ、温風電源の順に切る。この浴槽兼用乾式サウナは必要ならば、浴槽に温水を入れた状態で、各々空気用底板付ヒータ及び温風器を稼働させた状態で風呂及びサウナの双方の効果を楽しむことも出来る。
【符号の説明】
【０００７】  １．    浴槽兼用乾式サウナ
２．    上部底
３．    底部底
４．    傾斜部
４’．  背部
５．    曲線部
５’．  下半身部
６．    人体
７．    蓋
８．    頭部空気孔
９．    足部空気孔
１０．    ヒンジ
１１．    頭部マウント部
１２．    ヒータ
１２−１．傾斜部ヒータ
１２−２．でん部ヒータ
１２−３．足部ヒータ
１３．    循環ファン
１４．    空気用ヒータ
１５．    浴槽水位
１６．    浴槽
１７．    栓
１８．    排水口
１９．    水抜管
２０．    給湯口
２１．    バルブ
２２．    外部管
２３．    外部栓
２４．    底部空間
【図１】
2005279224.tif 000003
【図２】
2005279224.tif 000004
【手続補正書】
【提出日】平成16年6月4日(2004.6.4)
【手続補正１】
【補正対象書類名】明細書
【補正対象項目名】全文
【補正方法】変更
【補正の内容】
【発明の詳細な説明】
【技術分野】
【０００１】  従来の個人用温水浴槽を利用した温水浴槽兼用の乾式サウナに関する。
【背景技術】
【０００２】  従来のサウナは密閉構造の部屋全体をスチームの直接噴霧による加熱もしくは、スチーム式熱交換器による間接加熱、電気熱源による直接もしくは間接加熱等の方式であった。また、一人用サウナの浴槽を使用した場合にしても個人用浴槽内に温水を人体が浸れる位（もしくは通常の浴槽として使用する位）の水位まで入れた状態で上部蓋をし、温水と蓋との空間に適温の温風を流すものとか、頭部のみを上向きで外に出して人が水平に横たわれる形状とし、該人体の背面には板状加熱源が設けられ、該人体上部を半円筒状断熱材で気密性を保って覆い、該加熱源より人体を加熱する方式の乾式サウナ等があったが、従来の個人用の浴槽を利用した形での温水浴槽と乾式サウナとの組み合わせたものはなかった。
【特許文献１】    特開２００３−２２５２７８
【特許文献２】    特開２００３−１４４５１７
【特許文献３】    特開２００３−１２６２１４
【特許文献４】    特開２００３−１１１８１４
【特許文献５】    特開２００３−０１９１８１
【特許文献６】    特開２００２−０６５４８７
【特許文献７】    特開２００１−２７６１７０
【特許文献８】    特開２００１−１７８７９３
【特許文献９】    特開２００１−１３７３６８
【特許文献１０】  特開２００１−０８７３３８
【特許文献１１】  特開２０００−３２５４２４
【特許文献１２】  特開２０００−２７１１８６
【特許文献１３】  特開２０００−２５４２００
【特許文献１４】  特開２０００−１７５９８６
【特許文献１５】  特開平１１  −３３２９４９
【発明の開示】
【発明が解決しようとする課題】
【０００３】  個人用サウナを家庭等で楽しもうとする時、最も大きな問題はサウナ装置を置く空間を家庭内にどう確保するかである。サウナは加熱源、人が横たわれる以上の空間、そして多かれ少なかれサウナとしての性質上、水分（水蒸気水滴）の周囲への放散に対する対応等が必要なため浴室以外に新たにこのような空間を確保することには難が生じていた。そこで、本発明者等は日本の比較的狭い家屋でサウナを楽しめるのは浴室であることを着目し、健康指向の生活ライフを楽しむサウナの構造を検討した。その内容は次の通りである。
▲１▼サウナ室を新たに設けるのは日本の住宅事情からしてまだ無理がある。特にサウナ装置を設置する場合、前述のようにそのサウナ装置より発生する蒸気、湿度分の家屋材料や家財道具への悪影響が問題となるためサウナ装置の置く場所、構造をどうするか。
▲２▼サウナで発汗した後、手っ取り早くシャワーなり風呂で汗を流したい。
▲３▼上記▲１▼及び▲２▼の課題を日本の狭い家屋スペースで安価に解決したい等。
【課題を解決するための手段】
【０００４】  本発明は上記課題を解決するためになされたものである。そのために従来の風呂の浴槽を乾式サウナ用の人体を横たえるスペース（以下、浴槽と略記する）と共用にし、人は頭部を浴槽の天端に置きながら人の上半身を傾斜して該浴槽に横たえ頭部のみを該浴槽外に出来る蓋付密閉用とし、該浴槽の下部は上下二段の中間に空間を有する二重底とし、該空間は該浴槽上部空間と連通し、浴槽内の空気の循環と加熱が出来るように該空気循環経路中に送気用ファンとヒータとが取り付けられている。そして該二重底のうち上段底の材料は伝熱性の良い金属材料とし、その裏側にも加熱用ヒータが取り付けてあるが、該ヒータは上段底の加熱のみならず循環空気の加熱ヒータを兼ねても良い。また、浴槽内の空気の加熱は５０℃〜７０℃に上部底板の温度は４５℃〜６０℃の範囲に調整して使うようにし、１つの浴槽でサウナと風呂機能とを果たせるようにした。
【発明効果】
【０００５】  本発明の従来の風呂用の浴槽を蓋付の二重底とし、人が該浴槽に横たわった時に頭部のみ蓋外に出るようにしてある。そして、浴槽上部空間の空気が該二重底の中間部を通って循環出来るように送気用ファンと該循環用空気が加熱出来るようにしたヒータとが設けられている。そのために人体の上部底に接している部分以外は循環空気により加熱され、かつその加温速度はヒータの消費電力の調整によって調整出来るのであり、また上部底の金属板の裏面に設けられたヒータより人体の背中からも該人体の背面部を快適にするに必要な温度に加熱出来るため、加熱スピードの調整のみならず望ましい加熱状態に個人別に自身で調整出来るのである。
そして、従来の風呂用の浴槽を本発明のような構造にすることにより浴槽１槽たけで従来の浴室で風呂としての利用と乾式サウナとしての利用が可能となった。そのため乾式サウナとして利用した後、サウナ用蓋を開き湯舟の浴槽にお湯を張ると、サウナ後の汗流しも兼ねた通常の入浴も出来るようになった。当然風呂だけの利用も従来通り該浴槽で出来るのである。
【発明を実施するための最良の形態】
【実施例】
【０００６】  以下に本発明の実施例を図１を基に説明する。
まず、本浴槽兼用乾式サウナ（１）を浴槽として使用する時はヒンジ（１０）で回転かつ取り外し可能の蓋（７）を浴槽（１６）よりヒンジ（１０）のところより外す。次に浴槽下部の水抜管（１９）の栓（１７）で確実に止水した後給湯口（２０）のバルブ（２１）を開き所定の水位（１５）近くまで注ぐ。その水位（１５）以上に給湯してもその水位以上の湯は浴槽水位口（図中省略）より越流するため、その所定水位（１５）に維持される。また当然のことながら浴槽の温水が底部空間に入らないように工夫されている。
特に浴槽と兼用しての使用を考慮しているため乾式サウナ使用時の温風循環用空気孔の（８）及び（９）は高さｈだけ浴槽天端より嵩上げた形状となっている。また例えその底部空間（２４）に温水が誤って入っても外部管（２２）及び外部栓（２３）が取り付けられていて浴槽として使用後いつでも侵入水を抜くことが出来る。次に本浴槽兼用乾式サウナの乾式サウナとしての利用方法を説明する。
底部空間（２４）への侵入水及び浴槽水を抜き、栓（１７）及び外部栓（２３）をする。その後蓋（７）をヒンジ（１０）へ回転可能に取り付け浴槽（１６）に蓋（７）が確実に出来ていることを確認する。そして、サウナを押して電源を入れた後希望の温度を設定する。
上記温度は各個別温度設定釦があり（図−２参照）その釦の矢印方向の釦を押しつづけるとその方向へ設定温度は変わる。例えば、上向き矢印釦を押し続けると、設定温度が上がりつづける。希望の温度表示がされたところで釦を離すと表示数字はそこで停止し、その数字が設定温度となる。また、下向き矢印釦の使い方も上記と同じである。
通常、ヒータ温度、温風温度は各々４５℃〜６０℃、５０℃〜７０℃の間に設定される。また、温風器の釦を押し浴槽中の空気の循環を行う。この空気の温度は上げるもしくは下げる矢印温度釦を押しつづける温度調整用と同様の操作を行うことによって調整する。
温風の流速は１〜３ｍ／分が適当である。温風はヒータを入れてからおよそ冬で１０分、夏で５分後に設定温度になり乾式サウナとしての効果は通常のこの温度になってから人が図−１に示すように頭部を浴槽の天端に置き体は浴槽内に横たわり蓋をし、サウナとして使い始める。
入浴時間は１５分〜２０分が望ましい。乾式サウナよりの上りは蓋を開いて上がり、ヒータ、温風電源の順に切る。この浴槽兼用乾式サウナは必要ならば、浴槽に温水を入れた状態で、各々空気用底板付ヒータ及び温風器を稼働させた状態で風呂及びサウナの双方の効果を楽しむことも出来る。
【図面の簡単な説明】
【０００７】
【図１】  平面図
【図２】  側面図
【図３】  操作部
【符号の説明】
【０００８】  １．  浴槽兼用乾式サウナ
２．  上部底
３．  底部底
４．  傾斜部
４’．背部
５．  曲線部
５’．下半身部
６．  人体
７．  蓋
８．  頭部空気孔
９．  足部空気孔
１０．  ヒンジ
１１．  頭部マウント部
１２．  ヒータ
１２−１．  傾斜部ヒータ
１２−２．  でん部ヒータ
１２−３．  足部ヒータ
１３．  循環ファン
１４．  空気用ヒータ
１５．  浴槽水位
１６．  浴槽
１７．  栓
１８．  排水口
１９．  水抜管
２０．  給湯口
２１．  バルブ
２２．  外部管
２３．  外部栓
２４．  底部空間
【手続補正２】
【補正対象書類名】図面
【補正対象項目名】全図
【補正方法】変更
【補正の内容】
【図１】
2005279224.tif 000005
【図２】
2005279224.tif 000006
【図３】
2005279224.tif 000007